(57)【要約】  本発明は、ケーシング（２）と、加圧流体入口（Ｐ）と、流体戻しポート（Ｔ）と、少なくとも二つの作動ポート（Ａ、Ｂ）と、ケーシング（２）内に収容される摺動子（８）と、加圧流体入口を作動ポートに接続するためケーシング（２）内に設けられる通路（１２）と、負荷検出ラインチャンネル（１６）に接続される複数の調整手段（１５）と、入口チャンバの各側において摺動子の孔に開放する供給ブリッジ（２０）と、摺動子（８）によって内部に支持される二つの主逆止め弁（２５、２６）とを有する流体ディストリビュータに関する。本発明の流体ディストリビュータはさらに、主逆止め弁の弁ヘッドの上流で長手方向チャンネル内にそれぞれ装着され、そして摺動子の動く孔内に開放するトルクスリット（５０、５１）に接続される、二つの補助逆止め弁（４０、４１）を有する。【選択図】      図１
2007516388.tif 000002
【特許請求の範囲】
【請求項１】
ディストリビュータ本体（２）と、
加圧流体源に接続するようにされた加圧流体用の取入れポート（Ｐ）と、
流体を容器へ戻す戻しポート（Ｔ）と、
各々流体を供給し戻すための少なくとも一つの流体受け装置に接続するようにされた少なくとも二つの作動ポート（Ａ、Ｂ）と、
ディストリビュータ本体（２）に形成されたボア（４）に収容され、取入れポート（Ｐ）から作動ポート（Ａ、Ｂ）へ加圧流体を選択的に移送するように長手方向に動くようにされた摺動子（８）と、
ディストリビュータ本体（２）に形成され、取入れポート（Ｐ）を作動ポート（Ａ、Ｂ）に選択的に接続する通路（１２）と、
取入れポート（Ｐ）と作動ポート（Ａ、Ｂ）との間に挿置するように上記通路（１２）内に配置され、負荷検出ラインチャンネル（１６）と組合される複数の調整手段（１５）と、
上記流体ポートにそれぞれ選択的に接続するために取入れポート（Ｐ）の各側において各々摺動子（８）のボア（４）内に開放した二つの分枝部（２１、２２）を備えた供給ブリッジ（２０）と、
摺動子（８）によって全体的に支持され、それぞれ供給ブリッジ（２０）と作動ポート（Ａ、Ｂ）との間に挿入さ、ボア（４）内に開放する少なくとも一つの横方向供給スリット（３５、３６）に自体接続した長手方向チャンネル（３３、３４）内を動くことのできる弁ヘッド（３１、３２）を各々備えた二つの主逆止め弁（２５、２６）と
を有する流体ディストリビュータにおいて、
流体ディストリビュータ（１）がさらに、主逆止め弁（２５、２６）の弁ヘッド（３１、３２）の上流で長手方向チャンネル（３３、３４）内にそれぞれ装着される二つの補助逆止め弁（４０、４１）を有し、また
これらの補助逆止め弁（４０、４１）が、摺動子（８）の動くボア（４）内に開放するトルクスリット（５０、５１）に接続され、これらトルクスリット（５０、５１）の各々が、摺動子（８）の少なくとも一つの位置において供給ブリッジ（２０）の一方の分枝部に接続される
ことを特徴とする流体ディストリビュータ。
【請求項２】
補助逆止め弁（４０、４１）が、作動ポート（Ａ、Ｂ）における負荷圧力に対抗して摺動子（８）の部分内へ流体を排出している状態中、開放されることを特徴とする請求項１に記載の流体ディストリビュータ。
【請求項３】
トルクスリット（５０、５１）の横断面が円形であることを特徴とする請求項２に記載の流体ディストリビュータ。
【請求項４】
トルクスリット（５０、５１）の横断面が長方形であることを特徴とする請求項２に記載の流体ディストリビュータ。
【請求項５】
トルクスリット（５０、５１）の横断面がレンズ形であることを特徴とする請求項２に記載の流体ディストリビュータ。
【発明の詳細な説明】
【技術分野】
【０００１】
本発明は、流体ディストリビュータに、そして特に流れが負荷に関係なく分割される流体ディストリビュータに関するものである。
【背景技術】
【０００２】
ディストリビュータ本体と、
加圧流体源に接続するようにされた加圧流体用の取入れポートと、
流体を容器へ戻す戻しポート）と、
各々流体を供給し戻すための少なくとも一つの流体受け装置に接続するようにされた少なくとも二つの作動ポートと、
ディストリビュータ本体に形成されたボアに収容され、取入れポートから作動ポートへ加圧流体を選択的に移送するように長手方向に動くようにされた摺動子と、
ディストリビュータ本体に形成され、取入れポートを作動ポートに選択的に接続する通路と、
取入れポートと作動ポートとの間に挿置するように上記通路内に配置され、負荷検出ラインチャンネルと組合される複数の調整手段と、
上記流体ポートにそれぞれ選択的に接続するために取入れポートの各側において各々摺動子のボア内に開放した二つの分枝部を備えた供給ブリッジと、
摺動子によって全体的に支持され、それぞれ供給ブリッジと作動ポートとの間に挿入さ、ボア内に開放する少なくとも一つの横方向供給スリットに自体接続した長手方向チャンネル内を動くことのできる弁ヘッドを各々備えた二つの主逆止め弁と
を有する流体ディストリビュータは公知である。
【０００３】
このような流体ディストリビュータは、流体ポンプの負荷の圧力及び飽和レベルに関係なく流体の流量の分割に関して全体として満足であるが、この流体ディストリビュータに接続した一つ又は複数の受け装置が始動する際にジャーク作用（突動）を生じさせるという欠点がある。
【０００４】
そのため、オペレータは経験によりこれらの動きを補償しなければならず、これは満足できる解決法ではない。
【発明の開示】
【発明が解決しようとする課題】
【０００５】
従って、本発明の目的は、上記の欠点を解決でき、すなわち始動時、特に供給される動きがゆっくりである必要がある際に、突動なしで流体受け装置を制御できる流体ディストリビュータを提供することにある。
【課題を解決するための手段】
【０００６】
上記の目的で、本発明によれば、上記型の流体ディストリビュータは本質的に、さらに、主逆止め弁の弁ヘッドの上流で長手方向チャンネル内にそれぞれ装着される二つの補助逆止め弁を有し、またこれらの補助逆止め弁が、摺動子の動くボア内に開放するトルクスリットに接続され、これらトルクスリットの各々が、摺動子の少なくとも一つの位置において供給ブリッジの一方の分枝部に接続されることを特徴としている。
【０００７】
このように構成によって、受け装置が作動される流体の流れは、突動を感じないことを意味する非常に漸進である。
【０００８】
有利には、補助逆止め弁は、作動ポートにおける負荷圧力に対抗して摺動子の部分内へ流体を排出している状態中、開放される。
【０００９】
好ましくは、トルクスリットの横断面は円形である。
【００１０】
代わりに、トルクスリットの横断面は長方形である。
【００１１】
さらに別の代わりとして、トルクスリットの横断面はレンズ形である。
【００１２】
いずれにしても、本発明を限定しない例として本発明による流体ディストリビュータの一つの好ましい実施形態を示す添付図面を参照してなされる以下の説明から本発明は明瞭に理解される。
【００１３】
図示した流体ディストリビュータ１は本体２を有し、この本体２には、加圧流体用の取入れポートＰと、流体を容器（図示していない）へ戻す戻しポートＴと、二つの作動ポートＡ、Ｂとが形成されており、これらの二つの作動ポートＡ、Ｂの各々は少なくとも一つの流体受け装置（図示していない）に接続するように構成されている。
【００１４】
取入れポートＰは、図面の平面を横切って本体２を通りしかも図面に示したものと同様な幾つかのディストリビュータが互いに並置して積み重ねされる際に支持面として作用する本体の二つの主面に開放するチャンネルの形態である。同様に、戻しポートＴは、図面の平面を横切って本体２を通る一つ又は二つのチャンネルで構成されている。
【００１５】
流体ディストリビュータ１はまた、ディストリビュータ本体２を通って長手方向にのびるボア４を有し、このボア４はディストリビュータ本体２の二つの相対した面５、６に開放しており、また、ボア４内には摺動子８が装着されている。
【００１６】
摺動子８は、双方向矢印Ｆで示す方向に前後にボア４内を摺動できる。
【００１７】
普通の仕方で、ディストリビュータ本体２及び摺動子８は、摺動子８の占めている位置に従って所望のようにポートＰ、Ｔ、Ａ、Ｂを接続又は遮断する観点で共動するように配置した通路及び（又は）溝を備えている。
【００１８】
さらに、ディストリビュータ本体２は供給チャンバ１０を備え、供給チャンバ１０は摺動子８と組合され、そして取入れポートＰと普遍的に連通している。
【００１９】
この供給チャンバ１０の近くに開放して通路１２が設けられ、この通路１２は、摺動子８の動きに従って作動ポートＡ、Ｂと選択的に連通し、またハウジング１３を備え、ハウジング１３内には、それ自体周知の負荷検出ラインチャンネル１６と組合さった複数の調整手段１５が設けられている。
【００２０】
さらに、供給ブリッジ２０はディストリビュータ本体２に形成され、そして二つの分枝部２１、２２を備え、これらの分枝部２１、２２は、それぞれ摺動子８の動くボア４内に開放している。これら分枝部２１、２２の各々は、それぞれポートＰ、Ａ、Ｂに選択的に接続するために、供給チャンバ１０及び通路１２の各側に配置されている。
【００２１】
摺動子８は内部に二つの主逆止め弁２５、２６を備え、これらの主逆止め弁２５、２６は、供給ブリッジ２０と作動ポートＡ、Ｂとの間にそれぞれ挿入されるようにして構成されている。
【００２２】
主逆止め弁２５、２６の各々は弁ヘッド３１、３２を備え、これら弁ヘッド３１、３２の各々は長手方向チャンネル３３、３４内に配置されている。これらの長手方向チャンネル３３、３４の各々は、ボア４内に開放するように摺動子８内を横切って走る横方向供給スリット３５、３６を備えている。
【００２３】
これらの供給スリット３５、３６は、図示した静止位置において、ボア４の壁で閉じられるように形成されている。供給スリット３５、３６は、摺動子８の動きによってポートＰ、Ａ又はＢと選択的に連通するように配置されている。
【００２４】
本発明の一つの本質的な特徴によれば、流体ディストリビュータ１はさらに二つの補助逆止め弁４０、４１を有し、これらの補助逆止め弁４０、４１は、主逆止め弁２５、２６の弁ヘッド３１、３２の上流で長手方向チャンネル３３、３４内にそれぞれ装着される。すなわち、補助逆止め弁４０、４１の各々は、主逆止め弁２５、２６の弁ヘッド３１、３２に対して支持しかつボール又は弁ヘッド４４、４５に作用するばね４２、４３から成っている。
【００２５】
各ボールの上流で、すなわち長手方向チャンネル３３、３４の各々の端部とボール４４、４５との間において、トルクスリット５０、５１はボア４内に開放するように摺動子８内に横方向に走っている。これらのスリットのレイアウトは、摺動子８が静止位置にある時に、トルクスリット５０、５１が供給ブリッジ２０の分枝部２１、２２内にそれぞれ開放するように構成されている。
【００２６】
これらの補助逆止め弁４０、４１は、負荷の圧力に抗して容積内へ流体の排出している状態中、開放し、そして供給ブリッジ２０において得られる圧力がポートＡ又はＢで得られる負荷以下である時には閉じたままである。
【００２７】
トルクスリット５０、５１は、それらの設けられるディストリビュータの特定の使用に適した任意の形状に適合するようにできる。特に、トルクスリット５０、５１は、摺動子８内に形成された横方向チャンネルで形成され、そして特殊な形状のポートの形態で摺動子８の表面に開放している。
【００２８】
第１の実施形態では、トルクスリットは円形横断面のポートの形態で開放している。代わりに、トルクスリットは、横断面が長方形であってもよい。さらに別の代わりとして、トルクスリットは、横断面がレンズ形或いはプリズム形であってもよい。
【００２９】
トルクスリット５０、５１は、摺動子８の動き及びそれらの装着されるディストリビュータの意図する特定の適用に応じて開閉される。
【００３０】
言うまでもないことだが、本発明は、本発明を限定しない例として記載してきた好ましい実施形態に限定されるものではなく、特許請求の範囲に属する全ての変形実施形態を包含するものである。
【図面の簡単な説明】
【００３１】
【図１】本発明による流体ディストリビュータの横断面図。
【図１】
2007516388.tif 000003
【国際調査報告】
2007516388.tif 000004
2007516388.tif 000005
2007516388.tif 000006
2007516388.tif 000007